(57)【要約】【課題】  複数のカメラでユーザーが選択したユーザーインタフェイスを使用できるようにするためのカメラシステムを提供することを目的とする。【解決手段】  カメラ部とコントローラ部が着脱可能になっており、カメラ部の特徴をコントローラが読み取ることでコントローラ部の独立性を高めている。【選択図】        図１
2006086697.tif 000002
【特許請求の範囲】
【請求項１】
撮影機能を有する第１の機器と操作部材と表示装置を有する第２の機器からなる構成をもち、第１の機器と第２の機器はお互いに通信する手段をもち、第１の機器は第１の機器の撮影機能に関する固有な情報をもち、第２の機器は前記第１の機器が有する固有な情報を取得可能で、第２の機器は前記固有な情報を第２の機器の表示装置に表示することが可能で、第２の機器は前記固有な情報を加工でき、第２の機器は加工した情報を第１の機器に送ることができ、第１の機器は第２の機器で加工された情報をもとに機能を動作させることが可能であることを特徴とするカメラシステム。
【請求項２】
異なる機能を有する請求項１に記載の第１の機器が複数あり、請求項１に記載の第２の機器がいずれの第１の機器と接続可能であることを特徴とするカメラシステム。
【請求項３】
請求項１に記載の第２の機器が複数あり、それぞれが異なるメニューの表示方法、操作部材をもち、請求項１に記載の第１の機器といずれの第２の機器が接続可能であることを特徴とするカメラシステム。
【請求項４】
請求項１に記載の第２の機器において表示装置に表示する部材に関してカスタマイズが可能であることを特徴とするカメラシステム。
【請求項５】
請求項１に記載の第２の機器が不揮発性の記憶媒体を有し、請求項３に記載のカスタマイズした情報を保持できることを特徴とするカメラシステム。
【発明の詳細な説明】
【技術分野】
【０００１】
本発明はカメラのユーザーインタフェイスの操作性に係るカメラシステムに関するものである。
【背景技術】
【０００２】
特許文献１には利用者の使い方に合わせて機能選択や各種の設定変更を容易に行うことができるメニュー機能を実現可能な電子カメラが開示され、撮影設定メニューはホワイトバランス、ＩＳＯ感度、明るさ（露出補正）、画質などの複数のメニュー項目を、使用頻度が高い順に自動的に配列され、またユーザーが任意に決定した表示順に従って表示される。
【特許文献１】特開２００２−８４４４７号公報
【発明の開示】
【発明が解決しようとする課題】
【０００３】
しかしながら、ユーザーが新たに電子カメラを購入した場合や複数のユーザーが同一の電子カメラを使用する場合には、それぞれのユーザーが使用するために設定の変更を再度行わなければならない。
【０００４】
そこで、本発明ではユーザーが好むユーザーインタフェイス（メニュー）と操作部材をもったコントローラを選択し、異なる電子カメラを使用する場合でも容易に一度設定した操作感をもって使用できるカメラシステムを提供することで上述の問題を解決する。図１は発明の概念を示すもので、１０１，１０２は後述のカメラ本体部で１１１、１１２は後述のコントローラ部であり、図１は複数のカメラ本体部と複数のコントローラ部が１対１で接続し使用できることを示している。
【課題を解決するための手段】
【０００５】
カメラ本体部とコントローラ部に分離でき、カメラ本体にはカメラが撮影するための機能のみをもち表示部や操作部材をレリーズボタンや撮影モードボタンなどの一部しか持たないようにし、コントローラ部には表示装置と操作部材を有し、コントローラ特有のメニュー表示ができる手段を有し、カメラ本体部とコントローラ部がシステム共通のプロトコルを双方向に通信できる手段をもつことで、ユーザーが好むコントローラ部を使用し、複数のカメラで共通のメニュー表示、操作感を維持できる。
【０００６】
すなわち、本発明は以下の構成に集約できる。
（１）撮影機能を有する第１の機器と操作部材と表示装置を有する第２の機器からなる構成をもち、第１の機器と第２の機器はお互いに通信する手段をもち、第１の機器は第１の機器の撮影機能に関する固有な情報をもち、第２の機器は前記第１の機器が有する固有な情報を取得可能で、第２の機器は前記固有な情報を第２の機器の表示装置に表示することが可能で、第２の機器は前記固有な情報を加工でき、第２の機器は加工した情報を第１の機器に送ることができ、第１の機器は第２の機器で加工された情報をもとに機能を動作させることが可能であることを特徴とするカメラシステム。
【発明の効果】
【０００７】
（１）カメラ本体部と特徴をもったメニューをもつコントローラ部を独立させることでユーザーはユーザーの好むコントローラを使用してカメラ本体部を使用できる。
【０００８】
（２）異なる機能をもつカメラ本体部をコントローラ部１つで同じ操作感を持って使用することができる。
【０００９】
（３）コントローラ部はカスタマイズが可能でそのカスタマイズが保持できるので、接続するカメラ本体部を変更するたびにコントローラ部のカスタマイズを行わなくて良い。
【００１０】
（４）コントローラ部が設定項目と設定値に関してのそれ自身が何かを知る必要が無いので、コントローラ部を開発した後にカメラ本体部に新しい機能を付加してもコントローラ部を変更する必要がない。
【発明を実施するための最良の形態】
【００１１】
以下本発明を実施するための最良の形態を、実施例により詳しく説明する。
【実施例】
【００１２】
［構成］
＜カメラ本体部＞
図２の２００はカメラ本体部のブロック図である。２１０は撮影用のレンズ、２１１は絞り、２１２はシャッター、２０５は撮像素子、タイミング発生回路、相関二重サンプリング回路、Ａ／Ｄコンバーターなどから構成される撮像ブロック、２０１はカメラ本体部のシステム全体を制御する制御装置、２０６は制御装置２０１からの制御により、レンズ２１０、絞り２１１、シャッター２１２を制御するメカ系制御ユニット、２０７はデジタル信号に対して信号変換、圧縮処理、伸張処理を行うための信号処理ユニット、２０２は撮影したデジタル画像データを一時保存し、制御装置で生成したデータを一時保存するＲＡＭ、２０４は複数のスイッチから構成されるスイッチ群、２０８はコントローラ部２２０と通信するための通信ユニットである。
【００１３】
２０３はカメラ本体部を制御するためのプログラム、後記コントローラ部２２０と通信を行うためのプログラム、後記表示装置２２５に表示するための表示用データを保持している書き込み可能な不揮発性記憶媒体である。
【００１４】
図３を用いてスイッチ群２０４を説明する。図３の３００はカメラ本体部の概観、３０１は望遠ズームができる鏡筒、３０２はフラッシュ、３０３は光学式のファインダー、３０４は撮影モードを決めるモードダイアログ、３０５はシーソー形式に押せるスイッチを持つズームスイッチ、３０６は撮影のために使用する２段押し可能なレリーズスイッチであり、モードダイアログ３０４、ズームスイッチ３０５、レリーズスイッチ３０６はスイッチ群２０４に関連付けられる。
【００１５】
カメラ本体部２００はレンズ２１０を介して入射された被写体の反射光を撮像ブロック２０５でデジタル信号に変換し制御装置２０１で被写体輝度を算出する機能である測光機能をもち、測光機能は被写体輝度の算出方法が異なる“評価測光”、“中央部重点平均測光”、“スポット測光”の３つのモード、“測光モード”を有し、“測光モード”のいずれか一つのモードで動作する。この“測光モード”はユーザーの操作によって“評価測光”、“中央部重点平均測光”、“スポット測光”の設定値から選択設定されるものであり、カメラ本体部には図５の“測光モード”設定項目で示すように設定項目名“測光モード”の文字列をキーワードとし、設定項目名“測光モード”を後記コントローラ部２２０の後記表示装置２２５に表示させるための設定項目文字列“測光モード”、アイコン６０１測光モードアイコンが関連付けられ、設定項目名“測光モード”には設定可能な設定値“評価測光”、“中央部重点平均測光”、“スポット測光”の設定値名“評価測光”、“中央部重点平均測光”、“スポット測光”が関連付けられている。
【００１６】
設定値名“評価測光”は後記コントローラ部２２０の後記表示装置２２５に表示させるための設定値文字列”評価測光“、アイコン６０２評価測光アイコンが関連付けられ、評価値名“中央部重点平均測光”は後記コントローラ部２２０の後記表示装置２２５に表示させるための設定値文字列“中央部重点平均測光”、アイコン６０３中央部重点平均測光アイコンが関連付けられ、評価値名“スポット測光”は後記コントローラ部２２０の後記表示装置２２５に表示させるための設定値文字列“スポット測光”、アイコン６０４スポットアイコンが関連付けられ、設定値の中でどの設定値が設定項目“測光モード”の現設定値として有効であるかを示すＢｏｏｌをそれぞれの設定値に関連付けられている。
【００１７】
図５のような関連付けの情報と前記設定項目名、設定項目値名に関連する６０５測光モード文字列、６０６評価測光文字列、６０７中央部重点平均測光、６０８スポット測光文字列、６０１測光モードアイコン、６０２評価測光アイコン、６０３中央部重点平均測光アイコン、６０４スポットアイコン、に関するデータ、どの設定値が設定項目“測光モード”の現設定値として有効であるかを示すＢｏｏｌに関する情報をカメラ本体部２００の不揮発性メモリ２０３で保持している。
【００１８】
また、カメラ本体部２００は撮影前に前記測光機能を実行し撮影時に行う絞り２１１の絞り量とシャッター２１２の開閉時間（シャッター速度）を決定しておき撮影時には前記絞り量と前記シャッター速度を決定しないための機能である“ＡＥＬｏｃｋ”を有する。“ＡＥＬｏｃｋ”機能においても設定項目“ＡＥＬｏｃｋ”は、図５の“ＡＥＬｏｃｋ”設定項目にあるように設定項目名“ＡＥＬｏｃｋ”の文字列をキーワードとし、設定項目文字列６１５ＡＥＬｏｃｋ文字列と６１１ＡＥＬｏｃｋアイコンと関連をもち、設定項目“ＡＥＬｏｃｋ”に設定可能な設定項目値である設定項目値名“ＯＮ”、“ＯＦＦ”が関連付けられ、設定値名“ＯＮ”は設定値文字６１６ＯＮ文字列、６１２ＯＮアイコンと関連をもち、設定値名“ＯＦＦ”は設定値文字６１７ＯＦＦ文字列、６１３ＯＦＦアイコンと関連をもっている。設定項目“ＡＥＬｏｃｋ”におけるどの設定値が有効かを示すパラメーターＢｏｏｌを各設定値“ＯＮ”、“ＯＦＦ”に関して有効であれば“Ｔｒｕｅ”を、無効であれば“Ｆａｌｓｅ”を関連付けて、設定項目“測光モード”の場合と同様に設定項目“ＡＥＬｏｃｋ”に関連する一連の情報をカメラ本体部２００の不揮発性メモリ２０３で保持している。
【００１９】
＜コントローラ部＞
図２の２２０はコントローラ部のブロック図である。２２１はカメラ本体部と通信するための通信ユニット、２２２はコントローラ部のシステム全体を制御する制御装置、２２３は通信ユニット２２１から受信したデータを一時保存し、制御装置で生成したデータを一時保存するＲＡＭ、２２５は撮影情報および撮影した画像を表示するための表示装置、２２７は着脱可能な不揮発性記憶媒体であるＣＦ、２２８はＣＦ２２７を制御装置２２２で制御できるようにするための外部Ｉ／Ｆ、２２６は複数のスイッチから構成されるスイッチ群である。
【００２０】
図４の説明の中でスイッチ群２２６に関して説明を行う。
【００２１】
図４の４００はコントローラ部２２０の概観であるコントローラ部、４０１は表示装置２２５に構成されるディスプレイ、４０２は４つのスイッチから構成される方向キー、４０４は表示装置２２５にメニューを表示・非表示の切り替えを行うためのメニューボタン、４０３はメニューで設定項目に対して設定値を選択後決定するためのＳｅｔボタン、４０５から４０７はボタンであり、４０２から４０７はスイッチ群２２６の構成群である。
【００２２】
図４のコントローラ部４００は、メニューボタン４０４が押下されると図６の７０１メニュータイプＡがディスプレイ４０１に表示される。
【００２３】
図７はメニューＩＤ１が設定項目名“測光モード”と関連を持つことを示しており、前記メニューＩＤ１はメニュータイプＡ７０１の設定項目７０２と関連をもち、コントローラ部２２０の不揮発性メモリ２２４に図７のようなメニューＩＤと設定項目名を関連付ける情報と設定項目名“測光モード”の文字列の情報が保持されている。
【００２４】
図９はボタンＩＤ１が設定項目名“ＡＥＬｏｃｋ”と関連をもつことを示しており、ボタンＩＤ１はボタン４０５と関連をもっており、コントローラ部２２０の不揮発性メモリ２２４に図９のようなボタンＩＤと設定項目名を関連付ける情報と設定項目名“ＡＥＬｏｃｋ”の文字列の情報が保持されている。
【００２５】
カメラ本体部２００とコントローラ部２２０は、カメラ本体部２００の通信ユニット２０８とコントローラ部２２０の通信ユニット２２１を介して非同期に双方向の通信を行うことができる。
【００２６】
１−１カメラ本体部２００とコントローラ部２２０の接続
図８について説明する。コントローラ部２２０がカメラ本体部２００と通信開始しコントローラ部２２０がカメラ本体部２００を検出すると（Ｓ９０１）、コントローラ部２２０の不揮発メモリ２２４に保存されている設定項目名の一つに関してカメラ本体部２００に設定項目を有するかの確認を行い（Ｓ９０２）、カメラ本体部２００が該当の設定項目を有していない場合図７、図９にあるメニューＩＤ、ボタンＩＤに割り当てられていた設定項目を該当の設定項目がないことを意味する“Ｎｏｎｅ”を一時的に保存する（Ｓ９０４）、図７、図９にある設定項目に関して全ての項目の確認が完了したら（Ｓ９０５）、図９にあるボタンＩＤに割り振られた設定項目に関する情報をカメラ本体部２００から取得し（Ｓ９０６）、その情報をコントローラ部２２０の一時記憶メモリ２２３に保存する。カメラ本体部２００が保持する図９に関連した情報と同じ情報をコントローラ部２２０で保持できる（Ｓ９０７）。
【００２７】
２−１メニュー表示
コントローラ部４００のメニューボタン４０４が押下されると、図１０で示す処理によってメニューがコントローラ部４００のディスプレイ４０１にメニュータイプＡ７０１の形式で表示される。図１０について説明を行う。コントローラ部２２０の不揮発性メモリ２２４に保持されている図７で示す設定項目に関して設定項目名の文字列をキーワードとしてカメラ本体部２００に問い合わせて、設定項目の情報を図１１のようなメタ言語であるＸＭＬ形式で情報を取得する（Ｓ１１０１）。図１１は図７の設定項目“測光モード”の関系をＸＭＬ形式で記載したものである。ＸＭＬについては良く知られているので説明しない。取得した情報を解析し（Ｓ１１０２）、コントローラ部２００のメニュー表示であるメニュータイプＡ７０１が必要とする表示部材がコントローラ部２００の一時記憶メモリ２０２にキャッシュされているかどうかを判断し（Ｓ１１０３）、もしキャッシュに無ければコントローラ部２２０はカメラ本体部２００から図１１に記述してある該当の表示部材のみを取得し（Ｓ１１０４）、コントローラ部２００の一時記憶メモリ２０２にキャッシュする（Ｓ１１０５）。取得した図５の評価値項目文字をメニュータイプＡ７０１の設定項目値名７０２に割り当て、図５の設定値文字を設定値名７０３に割り当てる。設置値名７０３は図５のＢｏｏｌが“Ｔｒｕｅ”の設定値文字が表示される。
【００２８】
２−２メニュー設定
コントローラ部４００のメニューボタン４０４が押下されコントローラ部４００のディスプレイ４０１にメニュータイプＡ７０１が表示されている状態で、コントローラ部４００の方向キー４０２の上下キーを使用し、メニュータイプＡ７０１の設定項目値名７０２を選択した後、方向キー４０２の左右どちらかのキーを一度押すと図１０のＳ１１０６で設定値名７０３に設定値が割り当てられた設定値を変更することができ、メニュータイプＡ７０１の設定値名７０３の表示を変更することができる。
【００２９】
図１２は設定項目値名７０２の設定値名７０３が変更された場合のコントローラ部２２０の処理を示している。コントローラ部２００のメニュータイプＡ７０１の設定項目で設定値が変更更新されると（Ｓ１３０１）、図１１で示したようなＸＭＬ形式で変更内容を設定項目値名７０２、設定値名７０３に関連したデータを作成しカメラ本体部２００に通知する（Ｓ１３０２）。カメラ本体部２００で変更内容を確認し、その結果を反映させて図１１で示したようなＸＭＬ形式のデータを作成しコントローラ部２２０に返信し、コントローラ部２２０で受信すると（Ｓ１３０３）、コントローラ部２２０の一時記憶メモリ２２３に受信したデータを保持し（Ｓ１３０４）、前記メニュー設定で説明したような処理を使用しメニュー表示に反映する（Ｓ１３０５）。
【００３０】
３−１ボタン操作
コントローラ部４００のボタン４０５が押下されると図１３の処理に従ってカメラ本体部２００の機能である前記“ＡＥＬｏｃｋ”が動作を行う。図１３について説明を行う。コントローラ部２２０でボタン押下を検出すると（Ｓ１４０１）、押下したボタンに割り当てられたボタンＩＤから図９のボタンＩＤと設定項目のテーブルを参照することでボタンＩＤに割り当てられた設定項目を決定することができ、設定項目で有効になっている設定値をＸＭＬ形式の情報の中で記述されていたボタン押下以前に有効であった設定値の次に記述されていた設定値のみを有効に変更し（Ｓ１４０２）、変更内容をＸＭＬ形式の情報として作成してカメラ本体部２００に通知する（Ｓ１４０３）。通知を受けたカメラ本体部２００は受信した情報を元に動作を行い、受信した設定項目に設定値を決めＸＭＬ形式の情報としてコントローラ部２２０に返信し、コントローラ部２２０で返信を受信すると（Ｓ１４０４）、受信内容をコントローラ部２２０の一時記憶メモリ２２３に受信したデータを保持し解析して（Ｓ１４０５）、その情報を保持する（Ｓ１４０６）。
【００３１】
本実施例では測光機能、ＡＥＬｏｃｋ機能に関してメニュー表示／設定、ボタン押下による機能実行について説明してきたが、撮影機能、オートフォーカス機能、オートホワイトバランス機能などにおいても容易に当てはめることができるので説明は省く。
【００３２】
またカメラ本体部２００とコントローラ部２２０間の情報のやり取りに文字列をキーワードとしたＸＭＬ形式を用いたが、同様な別の手段を用いても実現できることは説明するまでも無い。
【００３３】
４−１カメラシステム（カメラ本体とコントローラの組み合わせが容易）
図４の４２０は前述までの実施例のコントローラ部２２０の構成を持つコントローラ部で、４２１はメニューなど表示するためのディスプレイ、４２２は回転式のダイアルでメニューなどの選択手段に用いるジョグダイアル、４２３はメニューで設定値を選択決定するためのＳｅｔボタン、４２４はディスプレイ４２１にメニューを表示させるためのメニューボタン、４２５から４２９はボタンであり、図６の７１２は設定項目名、７１３はジョグダイアル４２２で選択決定可能である設定値名の一覧、７１１は設定項目値名７１２、設定値名の一覧７１３を表示するメニューであるメニュータイプＢで、コントローラ部４２０はメニュータイプＢ７１１を表示することを特徴とする。
【００３４】
コントローラ部４２０とカメラ本体部４００を接続させるとコントローラ部４００とは異なるメニュー表示、操作感をもってカメラ本体部４００を使用することができる。
【００３５】
逆にカメラ本体部の構成はカメラ本体部２００と同じで異なる性能をもつ撮像ブロックであるカメラ本体部とコントローラ部４００を接続しても常に同様なメニュー表示と操作感でカメラを操作することができる。
【００３６】
５−１設定のカスタマイズ
コントローラ部２２０には図７、図９のようにメニューＩＤ、ボタンＩＤとカメラ本体部に有する機能に関する設定と設定項目名の文字列の関連付けが情報として保持されている。
【００３７】
図７ではメニューＩＤ１に“測光モード”、メニューＩＤ２には何も関連付けが無いことを意味するＮｏｎｅが割り当てられているが、メニューＩＤ２に“測光モード”を割り当て、メニューＩＤ１にＮｏｎｅを割り当て直しコントローラ部２２０の不揮発性メモリ２２４に保持し直す。
【００３８】
それだけでメニューＩＤ１に割り当てられていたメニュータイプＡ７０１の表示位置にあった“測光モード”の表示が、メニューＩＤ２の位置に割り当てられているメニュータイプＡ７０１の表示位置に変更され、カメラ本体部を変更しても同じメニューの位置に表示される。
【００３９】
メニューから“測光モード”の表示をさせないようにするためには、図７でメニューＩＤ１に割り当てられている“測光モード”をＮｏｎｅに変更し、不図示の示す割り当ての無い設定項目のテーブルに追加し、コントローラ部２２０の不揮発性メモリ２２４に保持し直す。不図示の割り当ての無い設定項目のテーブルに情報が保持されていると、そのテーブルを参照し“測光モード”が割り当て可能な設定項目として認識でき、再びメニューＩＤ１に“測光モード”を割り当ててコントローラ部２２０の不揮発性メモリ２２４に保持し直すことで、メニュータイプＡ７０１のメニューＩＤ１が割り当てられた表示位置に“測光モード”の設定項目を表示することができる。
【００４０】
６−１コントローラ部で保持されていない情報のデータを取得した場合
図１４はコントローラ部２２０の不揮発性メモリ２２４に図７、図９、不図示の示す割り当ての無い設定項目のテーブルの中に設定項目がカメラ本体部２００にあった場合の動作を示している。図１４の説明を行う。コントローラ部２２０がカメラ本体部２００から設定項目の情報を取得すると（Ｓ１５０１）、コントローラ部２２０の不揮発性メモリ２２４に図７、図９、不図示の示す割り当ての無い設定項目のテーブルの中に該当する設定項目があるかないかを判断し（Ｓ１５０２）、該当の設定項目が無い場合はユーザーに新たな設定項目があることを示し、図７のメニューＩＤ、図９のボタンＩＤのいずれかに割り当てるか、不図示の示す割り当ての無い設定項目のテーブルに追加するかをユーザーに選択させ（Ｓ１５０３）、ユーザーが選択した割り当てを不揮発性メモリ２２４に保持する（Ｓ１５０５）。
【００４１】
コントローラ部２２０は新たな設定項目を保持するがこれについてどのような設定を行わなければならないかを知る必要が無く、これまで示してきたようにカメラ本体部２００に新たな設定項目についての設定値の情報取得、設定項目に設定する設定値の送受信を行うだけでコントローラ部２２０はカメラ本体部２００をコントロールすることができる。
【図面の簡単な説明】
【００４２】
【図１】カメラ本体部とコントローラ部があるカメラシステムを示す図
【図２】カメラ本体部とコントローラ部の構成を示す図
【図３】カメラ本体部を示す図
【図４】コントローラ部を示す図
【図５】設定項目と設定値を示す図
【図６】メニューを示す図
【図７】メニューＩＤと設定項目のテーブルを示す図
【図８】接続時のシーケンスを示すフローチャート
【図９】ボタンＩＤと設定項目を示す図
【図１０】メニュー表示のシーケンスを示すフローチャート
【図１１】ＸＭＬ形式のデータを示す図
【図１２】設定値の更新シーケンスを示すフローチャート
【図１３】ボタン押下時のシーケンスを示すフローチャート
【図１４】新規設定項目に関するシーケンスを示すフローチャート
【符号の説明】
【００４３】
１０１，１０２  カメラ本体部
１１１，１１２  コントローラ部
２０１  制御装置
２０２  一時記憶メモリ
２０３  不揮発性メモリ
２０４  スイッチ群
２０５  撮像ブロック
２０６  メカ系制御ユニット
２０７  信号処理ユニット
２０８  通信ユニット
２１０  レンズ
２１１  絞り
２１２  シャッター
２２０  コントローラ部
２２１  通信ユニット
２２２  制御装置
２２３  一時記憶メモリ
２２４  不揮発性メモリ
２２５  表示装置
２２６  スイッチ群
２２７  記録装置
２２８  外部Ｉ／Ｆ
【図１】
2006086697.tif 000003
【図２】
2006086697.tif 000004
【図３】
2006086697.tif 000005
【図４】
2006086697.tif 000006
【図５】
2006086697.tif 000007
【図６】
2006086697.tif 000008
【図７】
2006086697.tif 000009
【図８】
2006086697.tif 000010
【図９】
2006086697.tif 000011
【図１０】
2006086697.tif 000012
【図１１】
2006086697.tif 000013
【図１２】
2006086697.tif 000014
【図１３】
2006086697.tif 000015
【図１４】
2006086697.tif 000016